(57)【要約】【課題】  フォークリフト等の荷役車両に装備されて荷物の大きさに呼応してフォークの間隔を調整する際に用いられるシリンダ式のフォークシフト装置に於て、フォークの幅が異なったり、フォークの調整間隔が異なる場合でも同一のシフトシリンダを用いる事ができる様にする。【解決手段】  キャリッジ２、フォーク３、シフトシリンダ４、外当体５、内当体６とで構成し、とりわけ、左右方向に所定の間隔Ａだけ離間して配された左右の外当体５をフォーク３とシフトシリンダ４の何れか一方に設けると共に、両外当体５の間に位置されてこれらに当合し得る内当体６をフォーク３とシフトシリンダ４の何れか他方に設ける。【選択図】        図１
2008150175.tif 000002
【特許請求の範囲】
【請求項１】
昇降可能なキャリッジと、キャリッジに横動可能に設けられた左右のフォークと、キャリッジに設けられてフォークを横動する為の左右のシフトシリンダと、フォークとシフトシリンダの何れか一方に設けられて左右方向に所定の間隔だけ離間して配された左右の外当体と、フォークとシフトシリンダの何れか他方に設けられて両外当体の間に位置されてこれらに当合し得る内当体と、から構成した事を特徴とするフォークシフト装置。
【請求項２】
外当体は、フォークに設けられていると共に、内当体は、シフトシリンダに設けられている請求項１に記載のフォークシフト装置。
【請求項３】
左右方向の内側に位置する外当体は、シフトシリンダのピストンロッドを左右方向に移動可能に案内する案内部を備えていると共に、内当体は、左右方向の外側の外当体に当合し得るシフトシリンダのピストンロッドの先端と、左右方向の内側の外当体に当合し得るピストンロッドの先部に螺合したナットとを備えている請求項２に記載のフォークシフト装置。
【発明の詳細な説明】
【技術分野】
【０００１】
本発明は、例えばフォークリフト等の荷役車両に装備されて荷物の大きさに呼応してフォークの間隔を調整する際に用いられるシリンダ式のフォークシフト装置の改良に関する。
【背景技術】
【０００２】
従来、フォークシフト装置は、螺子式とシリンダ式とに大別され、シリンダ式のフォークシフト装置としては、例えば特許文献１乃至３に記載されて図５及び図６に示したものが知られている。
当該フォークシフト装置５０は、昇降可能なキャリッジ５１と、キャリッジ５１に横動可能に設けられた左右のフォーク５２と、キャリッジ５１に設けられてフォーク５２を横動する為の左右のシフトシリンダ５３と、フォーク５２に設けられた連結体５４と、シフトシリンダ５３のロッド側に設けられた連結体５５と、両連結体５４，５５を枢結する枢結軸５６と、から構成されている。
キャリッジ５１とシフトシリンダ５３間は、シフトシリンダ５３とフォーク５２間と同様に、キャリッジ５１に設けられた連結体５７と、シフトシリンダ５３のテール側に設けられた連結体５８と、両連結体５７，５８を枢結する枢結軸５９とに依り連結されている。
【０００３】
【特許文献１】実開平２−４８９７号公報
【特許文献２】実公平７−１１１１１号公報
【特許文献３】特許第３０９１８５２号公報
【発明の開示】
【発明が解決しようとする課題】
【０００４】
ところが、この様なものは、フォークの幅が異なったり、フォークの調整間隔が異なる場合には、それに呼応した長さのシフトシリンダを用意せねばならなかった。
例えば図５に示す標準幅のフォークから図６に示す広幅のフォークにした場合には、図５に示すシフトシリンダより全長及びストロークの小さい図６に示すシフトシリンダを用いねばならなかった。その結果、多種多様のシフトシリンダを作製せねばならないと共に、これに伴った配管をせねばならなかった。
【０００５】
本発明は、叙上の問題点に鑑み、これを解消する為に創案されたもので、その課題とする処は、フォークの幅が異なったり、フォークの調整間隔が異なる場合でも同一のシフトシリンダを用いる事ができるフォークシフト装置を提供するにある。
【課題を解決するための手段】
【０００６】
本発明のフォークシフト装置は、基本的には、昇降可能なキャリッジと、キャリッジに横動可能に設けられた左右のフォークと、キャリッジに設けられてフォークを横動する為の左右のシフトシリンダと、フォークとシフトシリンダの何れか一方に設けられて左右方向に所定の間隔だけ離間して配された左右の外当体と、フォークとシフトシリンダの何れか他方に設けられて両外当体の間に位置されてこれらに当合し得る内当体と、から構成した事に特徴が存する。
【０００７】
シフトシリンダが伸長されると、一方の外当体と内当体とが当合される事に依りキャリッジに対してフォークが左右方向の外側に移動される。
シフトシリンダが短縮されると、他方の外当体と内当体とが当合される事に依りキャリッジに対してフォークが左右方向の内側に移動される。
両外当体の間隔を変更すると、外当体と内当体との当合距離が変わるので、シフトシリンダとフォークの作動に時間差を与える事ができる。その結果、フォーク幅が異なったり、フォークの調整間隔が異なる場合でも、同一のシフトシリンダを用いる事ができる。
【０００８】
外当体は、フォークに設けられていると共に、内当体は、シフトシリンダに設けられているのが好ましい。この様にすれば、スペースの関係からも容易に設ける事ができる。
【０００９】
左右方向の内側に位置する外当体は、シフトシリンダのピストンロッドを左右方向に移動可能に案内する案内部を備えていると共に、内当体は、左右方向の外側の外当体に当合し得るシフトシリンダのピストンロッドの先端と、左右方向の内側の外当体に当合し得るピストンロッドの先部に螺合したナットとを備えているのが好ましい。この様にすれば、ピストンロッドに螺子を備えた形式のシリンダをそのままシフトシリンダとして利用できる。
【発明の効果】
【００１０】
本発明に依れば、次の様な優れた効果を奏する事ができる。
（１）  キャリッジ、フォーク、シフトシリンダ、外当体、内当体とで構成し、とりわけ、左右方向に所定距離だけ離間して配された左右の外当体をフォークとシフトシリンダの何れか一方に設けると共に、両外当体の間に位置されてこれらに当合し得る内当体をフォークとシフトシリンダの何れか他方に設けたので、フォークの幅が異なったり、フォークの調整間隔が異なる場合でも同一のシフトシリンダを用いる事ができる。その結果、多種多様のシフトシリンダを作製したり、これに伴った配管をする必要がなくなる。
【発明を実施するための最良の形態】
【００１１】
以下、本発明の実施の形態を、図面に基づいて説明する。
図１は、本発明のフォークシフト装置を示し、標準幅のフォークを装着した背面図。図２は、幅広のフォークを装着した図１と同様図。図３は、要部のみを示す図１の斜視図。図４は、要部のみを示す図２の斜視図である。
【００１２】
フォークシフト装置１は、キャリッジ２、フォーク３、シフトシリンダ４、外当体５、内当体６とからその主要部が構成されて居り、フォークリフト等の荷役車両に適用される。
【００１３】
キャリッジ２は、昇降可能なもので、この例では、左右のリフトブラケット７と、これらの前側に設けられた上下のフィンガバー８と、これらの端部どうしを連結すべく設けられた左右のサイドプレート９とを備えている。
両リフトブラケット７は、図略しているが、荷役車両の昇降装置に依り昇降される様になっている。
上側のフィンガバー８は、両サイドプレート９間に介設された横材１０と、これの中程に立設された左右のセンタプレート１１と、横材１０の上方でセンタプレート１１とサイドプレート９間に介設された左右のガイドシャフト１２とを備えている。
下側のフィンガバー８は、両サイドプレート９間に介設された横材のみで構成されている。
【００１４】
フォーク３は、キャリッジ２に横動可能に設けられた左右のもので、この例では、略Ｌ型を呈し、垂直片１３と、これの下端から前方に延びる水平片１４と、垂直片１３の上側に形成されたボス穴１５とを備えて居り、ボス穴１５がキャリッジ２のガイドシャフト１２に横動可能に挿通されると共に、垂直片１３の下側背面がキャリッジ２の下側のフィンガバー８に当合される。
【００１５】
シフトシリンダ４は、キャリッジ２に設けられてフォーク３を横動する為の左右のもので、この例では、油圧シリンダにしてあり、シリンダ本体１６とピストンロッド１７を備えて居り、テール側がキャリッジ２のサイドプレート９に取付けられている。具体的には、従来と同様に、シフトシリンダ４のテール側には、連結体１８が設けられていると共に、キャリッジ２のサイドプレート９には、二股状の連結体１９が設けられて居り、両連結体１８，１９が枢結軸２０に依り縦軸廻りに回転可能に枢結されている。
シフトシリンダ４のピストンロッド１７の先部は、段付小径にされて螺子２１が形成されている。
【００１６】
外当体５は、フォーク３とシフトシリンダ４の何れか一方に設けられて左右方向に所定の間隔Ａだけ離間して配された左右のもので、この例では、フォーク３の上寄り背面に付設されている。
左右方向の内側に位置する外当体５は、シフトシリンダ４のピストンロッド１７を左右方向に移動可能に案内する案内部２２を備えている。案内部２２は、ピストンロッド１７が挿通されて案内される貫通穴にされている。
【００１７】
内当体６は、フォーク３とシフトシリンダ４の何れか他方に設けられて両外当体５の間に位置されてこれらに当合し得るもので、この例では、シフトシリンダ４のピストンロッド１７の先部に設けられている。
内当体６は、左右方向の外側の外当体５に当合し得るシフトシリンダ４のピストンロッド１７の先端と、左右方向の内側の外当体５に当合し得るピストンロッド１７の螺子２１に螺合したナット（ダブルナット）２３とを備えている。
【００１８】
而して、図１及び図３は、フォーク３の幅が標準幅にしてあると共に、両外当体５の間隔Ａが内当体６の幅と等しくなる様にしてある。つまり、内当体６を構成するシフトシリンダ４のピストンロッド１７の先端とナット２３が、外側の外当体６と内側の外当体６に夫々当合する様にしてある。
他方、図２及び図４は、フォーク３の幅が標準幅より大きい広幅にしてあると共に、両外当体５の間隔Ａが内当体６の幅より大きくなる様にしてある。つまり、例えばシフトシリンダ４のピストンロッド１７の先端と外側の外当体５との間には、間隔Ａから内当体６の幅を減じた間隔が形成される様にしてある。
【００１９】
次に、この様な構成に基づいてその作用を述解する。
図１及び図３に於て、シフトシリンダ４が伸長されると、外側の外当体５と内当体６とが予め当合されているので、キャリッジ２に対してフォーク３が直ちに左右方向の外側に移動される。つまり、フォーク３は、シフトシリンダ４の作動と同期して直ちに実線位置から鎖線位置にシフトされる。
逆に、シフトシリンダ４が短縮されると、内側の外当体５と内当体６とが予め当合されているので、キャリッジ２に対してフォーク３が直ちに左右方向の内側に移動される。つまり、フォーク３は、シフトシリンダ４の作動と同期して直ちに鎖線位置から実線位置にシフトされる。
【００２０】
図２及び図４に於て、シフトシリンダ４が伸長されると、両外当体５の間隔Ａが内当体６の幅より大きくされているので、内当体（シフトシリンダ４のピストンロッド１７の先端）６が外側の外当体５に当合するまではフォーク３が移動されず、これらが当合されると、キャリッジ２に対してフォーク３が左右方向の外側に移動される。つまり、フォーク３は、シフトシリンダ４の作動と時間差（タイムラグ）を置いて実線位置から鎖線位置にシフトされる。
逆に、シフトシリンダ４が短縮されると、両外当体５の間隔Ａが内当体６の幅より大きくされているので、内当体（シフトシリンダ４のピストンロッド１７に螺合したナット２３）６が内側の外当体５に当合するまではフォーク３が移動されず、これらが当合されると、キャリッジ２に対してフォーク３が左右方向の内側に移動される。つまり、フォーク３は、シフトシリンダ４の作動と時間差を置いて鎖線位置から実線位置にシフトされる。
【００２１】
両外当体５の間隔Ａを変更すると、外当体５と内当体６との当合距離が変わるので、シフトシリンダ４とフォーク３との作動に時間差を与える事ができる。その結果、フォーク３の幅が異なったり、フォーク３の調整間隔が異なる場合でも、同じ全長且つ同じストロークのシフトシリンダ４を用いる事ができる。
【００２２】
尚、外当体５と内当体６は、先の例では、外当体５をフォーク３に設けると共に、内当体６をシフトシリンダ４に設けたが、これに限らず、例えばこれらを逆にして、外当体５をシフトシリンダ４に設けると共に、内当体６をフォーク３に設けても良い。
外当体５の案内部２２は、先の例では、貫通穴であったが、これに限らず、例えば溝等でも良い。
シフトシリンダ４は、先の例では、テール側をキャリッジ２に取付けたが、これに限らず、例えばロッド側をキャリッジ２に取付けても良い。この場合、外当体５と内当体６は、シフトシリンダ４のシリンダ本体１６とフォーク３との間に設ける。
【図面の簡単な説明】
【００２３】
【図１】本発明のフォークシフト装置を示し、標準幅のフォークを装着した背面図。
【図２】幅広のフォークを装着した図１と同様図。
【図３】要部のみを示す図１の斜視図。
【図４】要部のみを示す図２の斜視図。
【図５】従来のフォークシフト装置を示し、標準幅のフォークを装着した背面図。
【図６】幅広のフォークを装着した図５と同様図。
【符号の説明】
【００２４】
１…フォークシフト装置、２…キャリッジ、３…フォーク、４…シフトシリンダ、５…外当体、６…内当体、７…リフトブラケット、８…フィンガバー、９…サイドプレート、１０…横材、１１…センタプレート、１２…ガイドシャフト、１３…垂直片、１４…水平片、１５…ボス穴、１６…シリンダ本体、１７…ピストンロッド、１８，１９…連結体、２０…枢結軸、２１…螺子、２２…案内部、２３…ナット、５０…フォークシフト装置、５１…キャリッジ、５２…フォーク、５３…シフトシリンダ、５４，５５，５７，５８…連結体、５９…枢結軸、Ａ…間隔。
【図１】
2008150175.tif 000003
【図２】
2008150175.tif 000004
【図３】
2008150175.tif 000005
【図４】
2008150175.tif 000006
【図５】
2008150175.tif 000007
【図６】
2008150175.tif 000008